(57)【要約】      （修正有）【課題】テーブルに向かい合って座った場合でも箸箱の向きを変えずにそのまま箸を取り出すことができ、また、二つの箸箱を背を向けて配置するよりもコンパクトなサイズで設計し易い箸箱等を用途とする卓上物入れ箱を提供する。【解決手段】卓上物入れ箱を、大略直方体の長手側の両側面に抽斗口１１・１１を設けた箱本体１と、この箱本体１の抽斗口１１・１１に出し入れ自在に装着された抽斗２とを含んで構成し、箱本体１を間に置いた対面位置から、正面側に抽斗２の摘み部２１を設ける。【選択図】図１
0003164387.tif 000002
【実用新案登録請求の範囲】
【請求項１】
大略直方体の長手側の両側面に抽斗口(11・11)を設けた箱本体(１)と；この箱本体(１)の抽斗口(11・11)に出し入れ自在に装着された抽斗(２)とを含んで構成され、
前記箱本体(１)を間に置いた対面位置から、正面側にくる抽斗(２)の摘み部(21)を操作して収容された箸(Ａ)、茶パック、爪楊枝などの提供物を簡易に取り出せることを特徴とする卓上物入れ箱。
【請求項２】
長手側の両側面に摘み部(21・21)を有する抽斗(２)を、筒状の箱本体(１)の内部を貫通してスライドするように装着したことを特徴とする請求項１記載の卓上物入れ箱。
【請求項３】
抽斗(２)の収納部(22)の隣りに断面Ｖ字状の楊枝入れ部(23)を設けて、この楊枝入れ部(23)の各傾斜面に頭部が上側にくるように爪楊枝(Ｂ)を収容可能としたことを特徴とする請求項２記載の卓上物入れ箱。
【請求項４】
長手側の一方の側面に摘み部(21)を有する一組の抽斗(２・２)を、箱本体(１)に背中合わせに装着したことを特徴とする請求項１記載の卓上物入れ箱。
【請求項５】
箱本体(１)の上面に囲壁(12)を設け、この囲壁(12)の内域を容器入り調味料(Ｓ)、ナプキン(Ｑ)などを載置可能なカスタートレー(Ｔ)としたことを特徴とする請求項１〜４の何れか一つに記載の卓上物入れ箱。
【考案の詳細な説明】
【技術分野】
【０００１】
本考案は、卓上物入れ箱の改良、詳しくは、テーブルに向かい合って座った場合でも箱の向きを変えずにそのまま収容物を取り出すことができ、また、二つの箱を背中合わせに配置するよりも省スペース化を図れる卓上物入れ箱に関するものである。
【背景技術】
【０００２】
周知のとおり、食堂やレストランなどの飲食店のテーブルには、複数の客が使用できるように共用の箸箱が常備されていることが多く、また、このような共用の箸箱としては、上蓋式のものと引出し式のものが主に知られている。
【０００３】
そして、上記２タイプの箸箱の内、上蓋式の箸箱(例えば、特許文献１参照)は、箱内にどの程度箸が残っているかを確認できるように上蓋に透明板を用いたものが一般的であるが、このような上蓋式の箸箱は、箸の出し入れに上蓋を開閉する必要があるため箸箱の上に物を置くことができない。
【０００４】
そのため、テーブルに常備する調味料をトレーに載せて箸箱とセットで配置する必要があるものの、このトレーと箸箱を並べて配置することによって、大きさに余裕のないテーブルでは、料理を置くスペースが更に狭くなり客が窮屈感を覚えやすかった。
【０００５】
一方、上記２タイプの箸箱の内、引出し式の箸箱については、箱上に物を置いても抽斗の開け閉めに何ら問題を生じないため、箸箱の上面を調味料のトレーとして使用できるメリットがある。
【０００６】
しかしながら、上記従来の引出し式箸箱においても、抽斗が片側に一つしか設けられていないため、対面式テーブルの中央に箸箱を置いた場合に、抽斗が正面にくる側に座った者しか抽斗を操作できず、反対側に座った者は抽斗を開けるためにわざわざ箸箱を反転させる必要があるなど、非常に使い勝手が悪かった。
【０００７】
また、上記問題を解決するために、二つの箸箱を背を向けて配置する方法も考えられたが、その方法を採用すると箸箱を置くスペースが通常の２倍必要になってテーブル上の利用スペースが無駄に削られる不満があった。
【先行技術文献】
【特許文献】
【０００８】
【特許文献１】実用新案登録３１５６０３５号公報（第１―６頁、第１〜３図）
【考案の開示】
【考案が解決しようとする課題】
【０００９】
本考案は、上記の如き問題に鑑みて為されたものであり、その目的とするところは、テーブルに向かい合って座った場合でも箸箱の向きを変えずにそのまま箸を取り出すことができ、また、二つの箸箱を背を向けて配置するよりもコンパクトなサイズで設計し易い箸箱等を用途とする卓上物入れ箱を提供することにある。
【課題を解決するための手段】
【００１０】
本考案者が上記課題を解決するために採用した手段を添付図面を参照して説明すれば次のとおりである。
【００１１】
即ち、大略直方体の長手側の両側面に抽斗口11・11を設けた箱本体１と；この箱本体１の抽斗口11・11に出し入れ自在に装着された抽斗２とを含んで構成し、前記箱本体１を間に置いた対面位置から、正面側にくる抽斗２の摘み部21を操作して収容された箸Ａ、茶パック、爪楊枝などの提供物を簡易に取り出せるようにした点に特徴がある。
【００１２】
具体的には、長手側の両側面に摘み部21・21を有する抽斗２を、箱本体１の内部を貫通してスライドするように装着することができる。
【００１３】
また、上記構成を採用する場合には、抽斗２の収納部22の隣りに断面Ｖ字状の楊枝入れ部23を設けて、この楊枝入れ部23の各傾斜面に頭部が上側にくるように爪楊枝Ｂを収容することができる。
【００１４】
また本考案においては、上記抽斗２が箱本体を貫通する構成を採用せずに、長手側の一方の側面に摘み部21を有する一組の抽斗２・２を、箱本体１に背中合わせに装着して構成することもできる。
【００１５】
そしてまた本考案では、必要に応じて、箱本体１の上面に囲壁12を設け、この囲壁12の内域を容器入り調味料Ｓ、ナプキンＱなどを載置可能なカスタートレーＴとして使用することができる。
【考案の効果】
【００１６】
本考案においては、箸箱の両側から抽斗を出し入れ可能に構成したことにより、対面式テーブルの中央に箸箱を配置すれば、テーブルのどちら側に座った場合でも正面で抽斗の摘み部を操作して抽斗の開け閉めを行うことができるため、箸箱の向きを変えることなく容易に箸を取り出すことが可能となる。
【００１７】
また、本考案では、一つの箸箱から構成したことにより、片側のみに抽斗がある箸箱を背を向けて二つ配置するよりも各箸箱の背板を省略できる分、コンパクトに設計することができるため、テーブル上の箸箱の置き場を最小限の広さに抑えることができる。
【００１８】
したがって、本考案により、飲食店等において客が向かい合ってテーブルに座った場合でも使い勝手が良く、しかも、テーブル上のスペースを有効利用して客が食事中に窮屈感を覚えることもない引出し式箸箱として使用可能な卓上物入れ箱を提供できることから、本考案の実用的利用価値は頗る高い。
【図面の簡単な説明】
【００１９】
【図１】本考案の実施例１における卓上物入れ箱を表わす分解斜視図である。
【図２】本考案の実施例１における卓上物入れ箱を表わす断面図である。
【図３】本考案の実施例１における卓上物入れ箱の使用状態を表わす状態説明図である。
【図４】本考案の実施例２における卓上物入れ箱の抽斗を表わす全体斜視である。
【図５】本考案の実施例２における卓上物入れ箱の使用状態を表わす状態説明図である。
【図６】本考案の実施例３における卓上物入れ箱を表わす分解斜視図である。
【図７】本考案の実施例３における卓上物入れ箱を表わす断面図である。
【図８】本考案の実施例３における卓上物入れ箱の使用状態を表わす状態説明図である。
【考案を実施するための形態】
【００２０】
『実施例１』
まず本考案の実施例１について、図１から図３に基いて説明する。同図において、符号１で指示するものは箱本体であり、符号２で指示するものは抽斗である。
【００２１】
この実施例１では、箱本体１(材質:プラスチック製)を、直方体の長手側の両側面に抽斗口11・11を備えた筒状の形態で作製すると共に、この箱本体１の内部に、長手側の両側面に摘み部21・21を有する抽斗２(材質:プラスチック製)を出し入れ自在に装着して箸箱Ｈを構成している(図１、図２参照)。
【００２２】
なお、上記箱本体１は筒状であるため、抽斗２は箱本体１の一方側の抽斗口11から反対側の抽斗口11に貫通してスライドさせることができる。また、上記箱本体１と抽斗２・２の表面には、木目模様を形成すると共に、全体を黒色を基調とする漆塗り風の外観に仕上げている。
【００２３】
一方、上記箱本体１の上面には、縁部に沿って囲壁12を設けており、その囲壁12の内側に物を載置するためのカスタートレイＴを形成している。また、箱本体１の下面には、箱本体１の底面が載置面に直接触れないようにするために浮し脚13・13…を各隅部に設けている。
【００２４】
そして、上記のように箸箱Ｈを構成したことにより、抽斗２の収納部22に箸Ａを収容して箸箱Ｈをテーブルの中央に配置すれば、図３(ａ)及び(ｂ)に示すように箸箱Ｈの前後どちら側に座っても抽斗２を正面で開け閉めできるため、対面式テーブルでの使い勝手を向上することができる。
【００２５】
また、上記箱本体１の上面にはカスタートレイＴを形成しているため、このカスタートレイＴに醤油や塩などの調味料ＳやナプキンＱなどを載せれば、テーブル上に箸箱Ｈとは別にカスタートレイを置く必要がなくなり、その分のスペースを有効に利用できる。
【００２６】
また実施例１では、上記箱本体１の奥行きを、従来の片側のみに抽斗を備えた箸箱よりも１.５倍大きいサイズに設計しており、これにより従来の箸箱を二つ並べるよりも省スペース化が図れるため、テーブル上に余裕をもって料理を置くことができる。
【００２７】
『実施例２』
次に、本考案の実施例２について図４及び図５に基いて以下に説明する。この実施例２では、実施例１と同様の抽斗２が箱本体１を貫通して出し入れ可能な箸箱Ｈにおいて、抽斗２の収納部22の隣りに断面Ｖ字状の楊枝入れ部23を設けている(図４参照)。
【００２８】
これにより、上記抽斗２の楊枝入れ部23の各傾斜面に頭部が上側にくるように爪楊枝Ｂを収容すれば、図５(ａ)及び(ｂ)に示すように、抽斗２を前後どちらから開けた場合でも爪楊枝Ｂの頭部が手前側にくるため、頭部を摘んで爪楊枝Ｂを容易に取り出すことができる。
【００２９】
『実施例３』
次に、本考案の実施例３について図６から図８に基いて以下に説明する。この実施例３では、長手側の一方の側面に摘み部11を有する一組の抽斗２・２を、箱本体１の抽斗口11・11に出し入れ自在に装着して箸箱Ｈを構成している(図６参照)。
【００３０】
また実施例３では、上記抽斗２を閉じる際、箱本体１の内部で抽斗２・２同士がぶつかって操作していない側の抽斗２が反対側に飛び出してしまわないように、箱内部の底面中央に突起状のストッパー部14を設けている(図７参照)。
【００３１】
そして、上記のように箸箱Ｈを構成したことにより、図８に示すように、箸箱の前後両側から抽斗２・２を開け閉め操作することができるため、実施例１に係る箸箱Ｈと同様、対面式テーブルでの使い勝手の向上が図れる。
【００３２】
本考案は、概ね上記のように構成されるが、本考案は図示の実施形態に限定されるものでは決してなく、「実用新案登録請求の範囲」の記載内において種々の変更が可能であって、例えば、箸箱Ｈを構成する箱本体１や抽斗２・２の材質には、プラスチック材料だけでなく本物の木材や木質材を使用することもできる。
【００３３】
また、抽斗２に関しては、対象収容物(例えば、箸Ａや爪楊枝や茶パックなど）に合わせて任意の位置に仕切板を入れることもできる。具体的には、箸Ａ入れの隣りに仕切板を入れて爪楊枝の収容スペースを形成することができ、また複数の仕切板を入れて茶種の異なる茶パックを収容することもできる。
【００３４】
そしてまた、箱本体１の下面に設けた浮し脚13・13…と、別の箱本体１の囲壁12とを嵌め合わせて滑止めにすることにより、箱本体１・１同士を印籠継ぎ状に積み重ねて持ち運ぶこともできる。
【００３５】
他方また、抽斗２のスライド機構に関しても、レール材を使用したり係止片による抜止め構造を採用したりすることもでき、また、卓上物入れ箱としての使用であれば箸箱Ｈ以外の用途に使用することもでき、何れのものも本考案の技術的範囲に属する。
【産業上の利用可能性】
【００３６】
従来から、共用の箸箱は多くの飲食店で使用されており、様々なタイプの箸箱が市場に出回っているものの、対面式テーブルでの使い勝手を考慮した箸箱は、市場において見受けられない。
【００３７】
そのような中で、本考案の卓上物入れ箱は、テーブルに向かい合って座った場合でも問題なく使用することができ、また、置き場所の省スペース化も図れる有用な技術であることから、その産業上の利用価値は非常に高い。
【符号の説明】
【００３８】
１  箱本体
11  抽斗口
12  囲壁
13  浮し脚
14  ストッパー部
２  抽斗
21  摘み部
22  収納部
23  楊枝入れ部
Ｈ  箸箱
Ｔ  カスタートレイ
Ａ  箸
Ｂ  爪楊枝
Ｓ  調味料
Ｑ  ナプキン
【図１】
0003164387.tif 000003
【図２】
0003164387.tif 000004
【図３】
0003164387.tif 000005
【図４】
0003164387.tif 000006
【図５】
0003164387.tif 000007
【図６】
0003164387.tif 000008
【図７】
0003164387.tif 000009
【図８】
0003164387.tif 000010